(57)【要約】【課題】病室内の各病床を利用する患者名などの情報を、看護師などの医療従事者の手を煩わすことなく更新することが可能なナースコールシステムを提供する。【解決手段】ナースコール親機２にて看護師などの医療従事者が患者名や病床番号などの識別情報を入力すると、ナースコール親機２は、この入力された識別情報に基づいて、廊下灯ユニット１１〜１ｎのうち、入力された病床番号に対応する廊下灯を通じて、上記病床番号に対応づけられた電子ネームプレート２００に上記識別情報を無線送信し、これを受信した電子ネームプレート２００が上記識別情報に基づいて、患者名や病床番号を表示するようにしたものである。【選択図】      図１
2006025916.tif 000002
【特許請求の範囲】
【請求項１】
患者が利用する病床の近傍に設置される病床端末と、この病床端末に信号を送信する廊下灯と、この廊下灯を収容するナースコール親機とを備えるナースコールシステムであって、
前記ナースコール親機は、
前記病床を利用する患者を識別する患者識別情報の入力を受け付ける入力手段と、
この入力手段から入力された前記患者識別情報を前記廊下灯に送信する親機送信手段とを備え、
前記廊下灯は、
前記親機送信手段が送信する前記患者識別情報を受信する廊下灯受信手段と、
この廊下灯受信手段が受信した前記患者識別情報を前記病床端末に送信する廊下灯送信手段とを備え、
前記病床端末は、
前記廊下灯送信手段が送信する前記患者識別情報を受信する病床端末受信手段と、
前記病床もしくは前記病床の近傍に設置され、前記病床端末受信手段が受信した前記患者識別情報を表示する表示手段とを備えることを特徴とするナースコールシステム。
【請求項２】
前記入力手段は、前記病床を識別する病床識別情報の入力を受け付け、
前記親機送信手段は、前記入力手段から入力された前記病床識別情報を前記廊下灯に送信し、
前記廊下灯受信手段は、前記親機送信手段が送信する前記病床識別情報を受信し、
前記廊下灯送信手段は、前記廊下灯受信手段が受信した前記病床識別情報を前記病床端末に送信し、
前記病床端末受信手段は、前記廊下灯送信手段が送信する前記病床識別情報を受信し、
前記表示手段は、前記病床端末受信手段が受信した前記病床識別情報を表示することを特徴とする請求項１に記載のナースコールシステム。
【請求項３】
前記廊下灯は病室に対応づけて配置され、
さらに、前記ナースコール親機は、
前記廊下灯を識別する廊下灯識別情報と、この廊下灯に対応する病室内に配備される病床を識別する病床識別情報とを対応づけて記憶する記憶手段と、
前記入力手段から入力された病床識別情報が対応づけられた廊下灯識別情報を、前記記憶手段に記憶される情報から検出する検出手段とを備え、
前記親機送信手段は、前記検出手段が検出した廊下灯情報に対応する前記廊下灯に、前記入力手段から入力された患者識別情報を送信することを特徴とする請求項１に記載のナースコールシステム。
【請求項４】
前記入力手段は、前記患者を識別する患者識別情報として、氏名の入力を受け付けることを特徴とする請求項１乃至請求項３のいずれかに記載のナースコールシステム。
【発明の詳細な説明】
【技術分野】
【０００１】
この発明は、病院などの施設において、患者や被介護者が看護師を呼び出すナースコールシステムに関する。
【背景技術】
【０００２】
周知のように、従来のナースコールシステムは、ナースセンタにナースコール親機が設置され、一般に廊下灯と称され、各病室の入り口付近に設置される廊下灯ユニットに有線接続される。そして、廊下灯ユニットは、対応する病室内の各病床に対応する呼出ボタンを有線で収容し、この呼出ボタンが患者などによって操作されると、上記ナースコール親機に患者から呼び出しが生じた旨を報知する。
【０００３】
これに対してナースコール親機は、呼び出しが生じた病床を識別し、その情報をモニタ上に表示するとともに、無線回線を通じて看護師などの医療従事者が携帯するナースコール子機を呼び出すようにしている（例えば、特許文献１参照）。
【０００４】
ところで、病室内の各病床には名札が設けられており、病床を利用する患者名などが記入されている。そして、病床を利用する患者が代わるたびに、看護師が名札をペンで書き換える必要があり、看護師の負担となっていた。
【特許文献１】特開２００３−１２６１８３公報
【発明の開示】
【発明が解決しようとする課題】
【０００５】
従来は、病室内の各病床には名札が設けられており、病床を利用する患者名などが記入されている。そして、病床を利用する患者が代わるたびに、看護師が名札をペンで書き換える必要があり、看護師の負担となっているという問題があった。
【０００６】
この発明は上記の問題を解決すべくなされたもので、病室内の各病床を利用する患者名などの情報を、看護師などの医療従事者の手を煩わすことなく更新することが可能なナースコールシステムを提供することを目的とする。
【課題を解決するための手段】
【０００７】
上記の目的を達成するために、この発明は、患者が利用する病床の近傍に設置される病床端末と、この病床端末に信号を送信する廊下灯と、この廊下灯を収容するナースコール親機とを備えるナースコールシステムであって、ナースコール親機は、病床を利用する患者を識別する患者識別情報の入力を受け付ける入力手段と、この入力手段から入力された患者識別情報を廊下灯に送信する親機送信手段とを備え、廊下灯は、親機送信手段が送信する患者識別情報を受信する廊下灯受信手段と、この廊下灯受信手段が受信した患者識別情報を病床端末に送信する廊下灯送信手段とを備え、病床端末は、廊下灯送信手段が送信する患者識別情報を受信する病床端末受信手段と、病床もしくは病床の近傍に設置され、病床端末受信手段が受信した患者識別情報を表示する表示手段とを備えて構成するようにした。
【発明の効果】
【０００８】
以上述べたように、この発明では、ナースコール親機にて医療従事者などから入力された患者名などの患者識別情報を、廊下灯を通じて、病床もしくは病床の近傍に設置可能な病床端末に送信し、これを病床端末で表示するようにしている。
【０００９】
したがって、この発明によれば、ナースコール親機から病床もしくは病床の近傍に設置された病床端末で表示される情報を更新できるので、看護師などの医療従事者の手を煩わすことのないナースコールシステムを提供できる。
【発明を実施するための最良の形態】
【００１０】
以下、図面を参照して、この発明の一実施形態について説明する。  
図１は、この発明の一実施形態に係わるナースコールシステムの概略構成図である。なお、この実施形態では病棟に設置される看護支援用のナースコールシステムを例にとって説明する。
【００１１】
このナースコールシステムは、各病室の入口近傍の廊下側壁面や、トイレ、浴室など設置される廊下灯ユニット１１〜１ｎと、ナースセンタに設置されるセンタ装置として機能するナースコール親機２とを備え、廊下灯ユニット１１〜１ｎとナースコール親機２との間はそれぞれ通信線路を介して接続される。
【００１２】
またこのナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００１３】
さらに、上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００１４】
廊下灯ユニット１１〜１ｎは、ＬＣＤ（Liquid Crystal Display）などを用いた表示部を備えており、これにナースコール親機２から送られる病室番号や患者名、病床番号（トイレや浴室に設置される場合は、その識別番号や名称）などを表示する機能を備えるとともに、各患者の病床に設置される電子ネームプレート２００と無線通信する機能を備える。なお、詳細な構成については後述する。
【００１５】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。
【００１６】
無線基地局６１，６２はそれぞれ無線エリアを形成し、この無線エリア内に存在する携帯端末７１〜７ｍとの間で無線回線を介して接続される。局線インタフェースにはＰＢＸ４が接続される。携帯端末７１〜７ｍは、医者や看護師などの医療従事者が携帯する。
【００１７】
ところで、廊下灯ユニット１１〜１ｎおよび電子ネームプレート２００は、図２に示すように構成される。なお、廊下灯ユニット１１〜１ｎは、同様の構成であることより、以下の説明では廊下灯ユニット１１を例に挙げて説明する。
【００１８】
廊下灯ユニット１１は、無線通信部１０１と、通信Ｉ／Ｆ１０２と、記憶部１０３と、表示部１０４と、操作部１０５と、警報部１０６と、制御部１１０とを備える。  
無線通信部１０１は、電子ネームプレート２００から無線呼出信号を受信したり、電子ネームプレート２００との間に無線通信リンクを開設して無線通信を行うものである。通信Ｉ／Ｆ１０２は、ナースコール親機２と通信するためのインターフェースである。
【００１９】
記憶部１０３は、制御部１１０の制御プログラムや制御データを記憶する他に、当該廊下灯ユニット１１に固有に割り当てられた識別情報Ｃ−ＩＤや、無線通信部１０１や通信Ｉ／Ｆ１０２を通じて受信したデータを記憶するものである。表示部１０４は、ＬＣＤなどを用いた表示部であって、文字や図形など種々の画像を表示するものである。
【００２０】
操作部１０５は、押しボタン式のスイッチなどで構成されるもので、主に医療従事者によって操作される。警報部１０６は、呼出発生を報知するための警報音を発するものである。制御部１１０は、当該廊下灯ユニット１１の各部を統括して制御するものであって、記憶部１０３に記憶される制御プログラムや制御データにしたがって種々の制御を行う。
【００２１】
また電子ネームプレート２００は、患者の病床もしくはその近傍に設置されるものであって、操作部２０１と、無線通信部２０２と、表示部２０３と、警報部２０４と、記憶部２０５と、通話部２０６と、制御部２１０とを備える。
【００２２】
操作部２０１は、押しボタン式のスイッチなどで構成されるもので、少なくとも呼び出し用のスイッチを備える。このスイッチは、患者Ｐが医療従事者を呼び出したい場合や、話をしたい場合などに操作するものである。
【００２３】
無線通信部２０２は、廊下灯ユニット１１の無線通信部１０１に宛てた無線呼出信号を送信したり、無線通信部１０１との間に無線通信リンクを開設して無線通信を行うものである。表示部２０３は、ＬＣＤなどを用いた表示部であって、文字や図形など種々の画像を表示するものである。警報部２０４は、音と光を発するものである。
【００２４】
記憶部２０５は、制御部２１０の制御プログラムや制御データを記憶する他に、当該電子ネームプレート２００に固有に割り当てられた識別情報Ｐ−ＩＤや、無線通信部２０２を通じて受信したデータを記憶するものである。
【００２５】
通話部２０６は、マイクロホンとスピーカを備えたものであって、上記マイクロホンより入力される患者の音声を符号化して音声データに変換して制御部２１０に出力し、また制御部２１０から与えられる音声データを復号して音声信号に変換し上記スピーカより拡声出力する。制御部２１０は、当該電子ネームプレート２００の各部を統括して制御するものであって、記憶部２０５に記憶される制御プログラムにしたがって種々の制御を行う。
【００２６】
またナースコール親機２は、図３に示すように構成される。ナースコール親機２は、制御部２０と、プログラムメモリ２１と、データメモリ２２と、通信Ｉ／Ｆ２３，２４と、ネットワークＩ／Ｆ２５と、通話Ｉ／Ｆ２６と、入力表示Ｉ／Ｆ２７と、タイマ２８とを備える。
【００２７】
制御部２０は、当該ナースコール親機２の各部を統括して制御するものであって、プログラムメモリ２１に記憶される制御プログラムや制御データにしたがって種々の制御を行う。また制御部２０は、データメモリ２２が接続されており、さらに通信インタフェース２３，２４と、ネットワークインタフェース２５と、通話インタフェース２６と、入力表示インタフェース２７と、タイマ２８がそれぞれ接続されている。
【００２８】
データメモリ２２は、図４に示すように、廊下灯ユニット１１〜１ｎに固有に割り振られた識別情報Ｃ−ＩＤと、廊下灯ユニット１１〜１ｎが設置される場所の名称（病室番号、トイレや浴室の識別番号や名称）とを対応づけて、配置情報ＴＡとして記憶する。
【００２９】
またデータメモリ２２は、廊下灯ユニット１１〜１ｎが病室に対応させて設置される場合には、上記配置情報ＴＡに、対応する病室内の病床に予め割り当てられた病床番号（Ｐ−ＩＤ）を含めて記憶する。なお、病床番号は、電子ネームプレート２００に固有に割り当てられた識別情報Ｐ−ＩＤに対応する。  
さらに、データメモリ２２は、図５に示すように、上記病床番号（Ｐ−ＩＤ）と、その利用者である患者Ｐの氏名とを対応させて、ネームプレート情報ＴＮとして記憶する。
【００３０】
通信インタフェース２３は、制御部２０の制御の下、上記各廊下灯ユニット１１〜１ｎとの間で信号の伝送を行う。同様に通信インタフェース２４は、制御部２０の制御の下、上記ハンディナースコール主装置３との間で信号の送受信を行う。ネットワークインタフェース２５は、制御部２０の制御の下、上記ＬＡＮ７との間で信号の送受信を行う。
【００３１】
通話インタフェース２６には、看護師が患者との間で通話を行うために使用するマイクロホン２６１およびスピーカ２６２が接続されている。通話インタフェース２６は、廊下灯ユニット１１〜１ｎとの間に通信リンクが形成された状態で、マイクロホン２６１から出力された話者の送話信号を符号化して制御部２０へ出力するとともに、制御部２０から供給された受話データを復号して受話信号を再生し、この受話信号をスピーカ２６２から拡声出力する。またスピーカ２６２は、患者から呼出が発生した時に鳴音やメロディを出力する際にも使用される。
【００３２】
入力表示インタフェース２７には、タッチパネル／表示器２７１が接続される。タッチパネル／表示器２７１は、例えばＣＲＴまたはＬＣＤからなる表示器の表示画面上に透明感圧シートを貼付したもので、情報の表示機能と入力機能とを併せ持っている。
【００３３】
また入力表示インタフェース２７は、制御部２０から供給された表示情報を上記タッチパネル／表示器２７１に表示すると共に、タッチパネル／表示器２７１を通じて入力された操作情報を制御部２０に供給する。  
タイマ２８は、時刻を計時する機能と、制御部２０からの指示に応じて時間を計る機能を備えもので、現在の時刻および計測した時間を制御部２０に通知する。
【００３４】
次に、上記構成のナースコールシステムの動作について説明する。以下の説明では特に、医療従事者がナースコール親機２を操作して、電子ネームプレート２００上に表示する情報を制御する場合の動作について説明する。
【００３５】
はじめに、ナースコール親機２における動作を説明する。図６は、この動作を説明するためのフローチャートであって、ナースコール親機２の制御部２０によってなされる制御動作を示すものである。この動作は、電源が投入された後、タッチパネル／表示器２７１を通じて医療従事者から要求が与えられた場合に実行される。また、このフローチャートの元となる制御プログラムは、プログラムメモリ２１に記憶されており、電源投入により制御部２０がプログラムメモリ２１から上記制御プログラムを読み込んで実行する。
【００３６】
まずステップ６ａにおいて制御部２０は、タッチパネル／表示器２７１を通じて医療従事者から、病床番号Ｐ−ＩＤと、この病床番号Ｐ−ＩＤに対応する病床を利用する患者名の入力を受け付け、ステップ６ｂに移行する。
【００３７】
ステップ６ｂにおいて制御部２０は、ステップ６ａにて受け付けた病床番号Ｐ−ＩＤと患者名を対応づけて、データメモリ２２にネームプレート情報ＴＮとして記録し、ステップ６ｃに移行する。
【００３８】
ステップ６ｂにおいて制御部２０は、確認のために、ステップ６ａで受け付けた情報を入力表示Ｉ／Ｆ２７を通じてタッチパネル／表示器２７１に表示するとともに、この表示した情報を対応する電子ネームプレート２００上に表示してよいかを問う表示を行う。
【００３９】
そして、制御部２０は、タッチパネル／表示器２７１を通じて医療従事者から、表示を指示する入力を受け付けたか否かを判断する。ここで、表示を指示する旨の入力を受け付けた場合には、ステップ６ｄに移行し、一方、表示内容を修正する旨の入力を受け付けた場合には、ステップ６ａに移行する。
【００４０】
ステップ６ｄにおいて制御部２０は、ステップ６ａで受け付けた病床番号Ｐ−ＩＤに対応する識別情報Ｃ−ＩＤを、データメモリ２２に記憶される配置情報ＴＡから検索して検出し、ステップ６ｅに移行する。
【００４１】
ステップ６ｅにおいて制御部２０は、通信Ｉ／Ｆ２３を制御して、廊下灯ユニット１１〜１ｎのうち、ステップ６ｄで検出した識別情報Ｃ−ＩＤに対応する廊下灯ユニットを通じて、ステップ６ａで受け付けた病床番号Ｐ−ＩＤに対応する電子ネームプレート２００に対して、ステップ６ａで受け付けた情報（病床番号Ｐ−ＩＤと患者名）を送信し、当該処理を終了する。
【００４２】
これに対して、廊下灯ユニット１１〜１ｎでは、制御部１１０が通信Ｉ／Ｆ１０２を制御して、ナースコール親機２から病床番号Ｐ−ＩＤと患者名を受信し、これを記憶部１０３に記録した後、これらの受信した情報を、無線通信部１０１を制御して、対応する電子ネームプレート２００に無線送信する。また制御部１１０は、表示部１０４を制御して、病床番号Ｐ−ＩＤと患者名を対応づけて表示する。
【００４３】
次に、電子ネームプレート２００における動作を説明する。図７は、この動作を説明するためのフローチャートであって、電子ネームプレート２００の制御部２１０によってなされる制御動作を示すものである。なお、以下の説明では、廊下灯ユニット１１から情報を受信する場合を例に挙げて説明する。
【００４４】
この動作は、無線通信部２０２が廊下灯ユニット１１から当該電子ネームプレート２００宛ての無線信号を受信した場合に実行される。なお、このフローチャートの元となる制御プログラムは、記憶部２０５に記憶されており、電源投入により制御部２１０が記憶部２０５から上記制御プログラムを読み込んで実行する。
【００４５】
まず、ステップ７ａにおいて制御部２１０は、無線通信部２０２を制御して、廊下灯ユニット１１から情報を受信し、ステップ７ｂに移行する。なお、ここで廊下灯ユニット１１から送信される情報は、前述のステップ６ｅにて送信される情報、すなわち病床番号Ｐ−ＩＤと患者名の情報である。
【００４６】
ステップ７ｂにおいて制御部２１０は、ステップ７ａで受信した情報を記憶部２０５に記録し、ステップ７ｃに移行する。  
ステップ７ｃにおいて制御部２１０は、ステップ７ａで受信した情報、すなわち病床番号Ｐ−ＩＤと患者名を、例えば図８に示すように表示し、当該処理を終了する。この表示制御は、電源が切れるか、あるいは操作部２０１を通じて所定の操作が行われるまで継続される。
【００４７】
以上のように、上記構成のナースコールシステムでは、ナースコール親機２にて医療従事者から入力された病床番号と患者名を、廊下灯ユニット１１〜１ｎを通じて上記病床番号に対応する電子ネームプレート２００に無線送信し、これを受信した電子ネームプレート２００が表示部２０３に上記病床番号と患者名を表示するようにしている。
【００４８】
したがって、上記構成のナースコールシステムによれば、各病床における患者名の表示を、ナースコール親機２を通じて医療従事者が一括して更新できるので、医療従事者の手を煩わすことがない。
【００４９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。
【００５０】
例えば、上記実施の形態では、ナースコール親機２にて入力された病床番号を、廊下灯ユニット１１〜１ｎを通じて電子ネームプレート２００に無線送信し、これを電子ネームプレート２００の表示部２０３に表示するようにしているが、これに代わって例えば、病床番号は電子ネームプレート２００の操作部２０１を通じて入力し、これを記憶部２０５が記憶し、記憶部２０５が記憶する病床番号を表示部２０３に表示するようにしてもよい。
【００５１】
また上記実施の形態では、患者を識別するための情報として、患者の氏名を表示する場合を例に挙げて説明したが、患者を管理するカルテ番号などを表示するようにしてもよい。またカルテ番号だけでなく患者名を併せて表示するようにしてもよい。
【００５２】
さらには、患者名とカルテ番号を対応づけてデータメモリ２２に記憶しておき、タッチパネル／表示器２７１を通じてカルテ番号と病床番号を入力すると、カルテ番号に対応する患者名を制御部２０が検出して、この検出した患者名を対応する病床番号の電子ネームプレート２００に表示させるようにしてもよい。
【００５３】
また上記実施の形態では、廊下灯ユニット１１と電子ネームプレート２００とは無線通信を行うようにしたが、有線回線を通じて通信を行うようにしてもよい。  
その他、この発明の要旨を逸脱しない範囲で種々の変形を施しても同様に実施可能であることはいうまでもない。
【図面の簡単な説明】
【００５４】
【図１】この発明に係わるナースコールシステムの一実施形態の構成を示す図。
【図２】図１に示したナースコールシステムの廊下灯および電子ネームプレートの構成を示す回路ブロック図。
【図３】図１に示したナースコールシステムのナースコール親機の構成を示す回路ブロック図。
【図４】図３に示したナースコール親機のデータメモリに記憶される配置情報の一例を示す図。
【図５】図３に示したナースコール親機のデータメモリに記憶されるネームプレート情報の一例を示す図。
【図６】図３に示したナースコール親機の制御動作を説明するためのフローチャート。
【図７】図２に示した電子ネームプレートの制御動作を説明するためのフローチャート。
【図８】図２に示した電子ネームプレートの表示部の表示例を示す図。
【符号の説明】
【００５５】
１１〜１ｎ…廊下灯ユニット、２…ナースコール親機、３…ハンディナースコール主装置、４…ＰＢＸ、５…公衆網、６…無線ユニット、６１，６２…無線基地局、７…ＬＡＮ、７１〜７ｍ…携帯端末、８…ハブ、９…看護支援サーバ、１０…プリンタ、２０…制御部、２１…プログラムメモリ、２２…データメモリ、２３，２４…通信Ｉ／Ｆ、２５…ネットワークＩ／Ｆ、２６…通話Ｉ／Ｆ、２６１…マイクロホン、２６２…スピーカ、２７…入力表示Ｉ／Ｆ、２７１…タッチパネル／表示器、２８…タイマ、１０１…無線通信部、１０２…通信Ｉ／Ｆ、１０３…記憶部、１０４…表示部、１０５…操作部、１０６…警報部、１１０…制御部、２００…電子ネームプレート、２０１…操作部、２０２…無線通信部、２０３…表示部、２０４…警報部、２０５…記憶部、２０６…通話部、２１０…制御部。
【図１】
2006025916.tif 000003
【図２】
2006025916.tif 000004
【図３】
2006025916.tif 000005
【図４】
2006025916.tif 000006
【図５】
2006025916.tif 000007
【図６】
2006025916.tif 000008
【図７】
2006025916.tif 000009
【図８】
2006025916.tif 000010